Podtech/llm-jp-corpus-v4-ja_patent huggingface dataset:
【手続補正書】
【提出日】平成29年9月7日(2017.9.7)
【手続補正１】
【補正対象書類名】特許請求の範囲
【補正対象項目名】全文
【補正方法】変更
【補正の内容】
【特許請求の範囲】
【請求項１】
（ａ）第一の抗原に結合するよう構成された６個の相補性決定領域（ＣＤＲ）の第一の組、および
（ｂ）（ｂａ）第二の抗原に結合するよう構成された６個のＣＤＲの第二の組、または
（ｂｂ）第二の抗原に結合可能なリガンド、
を含むポリペプチドであって、
（ｉ）前記第一の抗原がＢ型肝炎ウイルス（ＨＢＶ）小型表面抗原、ＨＢＶ中型表面抗原、およびＨＢＶ大型表面抗原から選択され、
（ｉｉ）前記第二の抗原がナチュラルキラー（ＮＫ）細胞や細胞傷害性Ｔ細胞（ＣＴＬ）などの免疫エフェクター細胞によって発現される表面抗原から選択され、
前記ＣＤＲは、免疫グロブリンドメインの一部である、ポリペプチド。
【請求項２】
請求項１に記載のポリペプチドであって、（ａ）前記６個のＣＤＲの第一の組が第一のｓｃＦｖ断片に含まれ、および／または
（ｂ）（ｂａ）前記６個のＣＤＲの第二の組が第二のｓｃＦｖ断片に含まれるか、もしくは
（ｂｂ）前記リガンドが免疫リガンドであり、好ましくはＮＫＧ２Ｄ、ＮＫｐ３０／ＮＣＲ３、４−１ＢＢまたはＯＸ４０に結合可能な免疫リガンドである、ポリペプチド。
【請求項３】
請求項１または２に記載のポリペプチドであって、前記６個のＣＤＲの第一セットが前記第一の抗原のエピトープを結合し、前記エピトープが、
（ａ）前記ＨＢＶ小型表面抗原に、
（ｂ）前記ＨＢＶ小型表面抗原を含まない前記ＨＢＶ大型表面抗原の一部分に、または
（ｃ）前記ＨＢＶ小型表面抗原とは構造が異なる前記ＨＢＶ大型表面抗原の一部分に、位置している、ポリペプチド。
【請求項４】
請求項１〜３のいずれか１項に記載のポリペプチドであって、免疫エフェクター細胞によって発現される前記表面抗原が、ＣＤ３、ＣＤ２８、４−１ＢＢ、ＯＸ４０、ＣＤ１６、ＣＤ５６、ＮＫＧ２Ｄ、およびＮＫｐ３０／ＮＣＲ３から選択される、ポリペプチド。
【請求項５】
請求項１〜４のいずれか１項に記載のポリペプチドであって、二量体化領域をさらに含み、前記二量体化領域は、共有結合二量体化および／または非共有結合二量体化をもたらす、ポリペプチド。
【請求項６】
請求項２〜５のいずれか１項に記載のポリペプチドであって、前記ポリペプチドがスペーサー領域をさらに含み、前記スペーサー領域が好ましくはＣＨ２ドメインおよびＣＨ３ドメインを含み、前記スペーサー領域が、
（ｉ）前記第一のｓｃＦｖ断片と、
（ｉｉ）前記第二のｓｃＦｖ断片または前記ポリペプチドのアミノ酸配列中の前記リガンドとの間に位置し、前記ＣＨ２ドメインおよび／またはＣＨ３ドメインの１つ以上の位置を好ましくは変異させてＦｃ受容体への結合の減少または消失を起こさせる、ポリペプチド。
【請求項７】
請求項１〜６のいずれか１項に記載のポリペプチドであって、
（ａ）前記６個のＣＤＲの第一の組が配列番号１〜６、７〜１２または１３〜１８の配列を有し、および／または
（ｂ）前記６個のＣＤＲの第二の組が配列番号１９〜２４、２５〜３０、３１〜３６または３７〜４２の配列を有し、
ここで、６個のＣＤＲの組のそれぞれにおけるＣＤＲの順番が重鎖ＣＤＲ１、重鎖ＣＤＲ２、重鎖ＣＤＲ３、軽鎖ＣＤＲ１、軽鎖ＣＤＲ２、および軽鎖ＣＤＲ３である、ポリペプチド。
【請求項８】
請求項１〜７のいずれか１項に記載のポリペプチドであって、前記ポリペプチドが配列番号４３〜４６のいずれか１つのアミノ酸配列または配列番号４３〜４６のいずれか１つと少なくとも８０％の同一性を示すアミノ酸配列を含むか、またはそのようなアミノ酸配列からなり、ただし少なくとも８０％の同一性を示す前記アミノ酸配列のＣＤＲが配列番号１〜６、７〜１２、１３〜１８、１９〜２４、２５〜３０、３１〜３６または３７〜４２とそれぞれと同一である、ポリペプチド。
【請求項９】
請求項１〜８のいずれか１項に記載のポリペプチドをコードする核酸。
【請求項１０】
第一のポリペプチドおよび第二のポリペプチドを含むか、またはそれらからなる複合体であって、ここで前記第一のポリペプチドおよび第二のポリペプチドが請求項１〜８のいずれか１項に記載のポリペプチドであり、
（ａ）前記第一のポリペプチドと前記第二のポリペプチドの間に少なくとも１つの共有結合があり、好ましくは前記第一のポリペプチドのＣｙｓ残基と前記第二のポリペプチドのＣｙｓ残基との間に少なくとも１つのジスルフィド架橋があるか、または
（ｂ）前期第一のポリペプチドおよび第二のポリペプチドが互いに非共有結合されている、複合体。
【請求項１１】
請求項１〜８のいずれか１項に記載のポリペプチドを１つ以上および／または請求項１０に記載の複合体を１つ以上含むか、またはそれらからなる組成物であって、ただし、前記組成物は少なくとも２つのポリペプチドを含み、前記２つのポリペプチドが、それらが結合する前記第一の抗原および／または前記第二の抗原の点で互いに異なっている、組成物。
【請求項１２】
請求項１１に記載の組成物であって、前記２つのポリペプチドが
（ａ）（ｉ）ＨＢＶ小型表面抗原もしくは大型表面抗原およびＣＤ３に結合するポリペプチド、および
（ｉｉ）ＨＢＶ小型表面抗原もしくは大型表面抗原およびＣＤ２８に結合するポリペプチドであるか、または
（ｂ）（ｉ）ＨＢＶ小型表面抗原もしくは大型表面抗原およびＣＤ１６に結合するポリペプチド、および
（ｉｉ）ＨＢＶ小型表面抗原もしくは大型表面抗原およびＣＤ５６に結合するポリペプチドである前記組成物。
【請求項１３】
請求項１０に記載の複合体または請求項１１若しくは１２に記載の組成物であって、前記複合体および前記組成物が、二重特異性、三重特異性または四重特異性である四価抗体を含むか、またはそれらからなる、複合体または組成物。
【請求項１４】
請求項１〜８のいずれか１項に記載のポリペプチドを１つ以上、請求項１０または１３に記載の複合体を１つ以上、および／または請求項１１〜１３のいずれか１項に記載の組成物を１つ以上含むか、またはそれらからなる医薬組成物。
【請求項１５】
ＨＢＶ感染および／または前記ＨＢＶ感染に起因する症状を治療または予防する方法において使用するための、請求項１〜８のいずれか１項に記載の１つ以上のポリペプチド、請求項１０または１３に記載の１つ以上の複合体、および／または請求項１１〜１３に記載の１つ以上の組成物であって、前記ＨＢＶ感染に起因する症状が肝硬変、肝細胞癌、および肝臓癌から選択され、前記肝臓癌が１つ以上のＨＢＶ表面抗原の発現によって特徴付けられる、ポリペプチド、複合体、および組成物。
【請求項１６】
インビトロまたはエキソビボ免疫エフェクター細胞であって、前記免疫エフェクター細胞の表面抗原に結合した請求項１〜８のいずれか１項に記載のポリペプチドまたは請求項１０または１３に記載の複合体を有する、インビトロまたはエキソビボ免疫エフェクター細胞。
【手続補正書】
【提出日】平成29年9月6日(2017.9.6)
【手続補正１】
【補正対象書類名】特許請求の範囲
【補正対象項目名】全文
【補正方法】変更
【補正の内容】
【特許請求の範囲】
【請求項１】
エンベロープウイルスを産生する宿主細胞が弱酸性培地中で培養されることを特徴とする、エンベロープウイルスを産生するためのプロセス。
【請求項２】
培地のｐＨが５．８から６．２の間に含まれ、より詳細にはｐＨが約６である、請求項１記載のプロセス。
【請求項３】
エンベロープウイルスが、場合によりシュードタイプ化されたレトロウイルスである、請求項１〜２のいずれか一項記載のプロセス。
【請求項４】
エンベロープウイルスが、場合によりシュードタイプ化されたレンチウイルスである、請求項１〜３のいずれか一項記載のプロセス。
【請求項５】
レトロウイルスが、ＶＳＶ−Ｇエンベロープタンパク質又はＧＡＬＶエンベロープタンパク質より選択されるエンベロープタンパク質でシュードタイプ化されている、請求項４記載のプロセス。
【請求項６】
レンチウイルスが、ＶＳＶ−Ｇエンベロープタンパク質又はＧＡＬＶＴＲエンベロープタンパク質より選択されるエンベロープタンパク質でシュードタイプ化されている、請求項５記載のプロセス。
【請求項７】
宿主細胞が、ＨＥＫ２９３、ＨＥＫ２９３Ｔ、ＨＥＫ２９３ＦＴ、Ｔｅ６７１、ＣＥＭ、ＮＩＨ−３Ｔ３、Ｍｐｆ又はＤ１７細胞より選択される、請求項１〜６のいずれか一項記載のプロセス。
【請求項８】
−  前記エンベロープベクターを産生するために必要なエレメントをコードする１つ以上のプラスミドによりＨＥＫ２９３Ｔ細胞を一過性トランスフェクトする段階；
−  ｐＨが約６の適切な培地中で前記細胞を培養する段階；
−  培養上清中のエンベロープウイルスを採集する段階
を含む、請求項１〜７のいずれか一項記載のプロセス。
【請求項９】
１つのプラスミドが、レンチウイルスｇａｇｐｏｌ遺伝子を含む発現カセットを有し、１つのプラスミドが、レンチウイルスｒｅｖ遺伝子を含む発現カセットを有し、１つの伝達プラスミドが、レンチウイルスのＬＴＲ−５’とＬＴＲ−３’との間に含まれる関心対象の導入遺伝子の発現カセットを含み、１つのプラスミドが、エンベロープ糖タンパク質の発現カセットを有する、４つのプラスミドにより細胞がトランスフェクトされる、レンチウイルスを産生するための請求項８記載のプロセス。
【請求項１０】
弱酸性培地、又は培地のｐＨを弱酸性値にするために有用な１つ以上の溶液を伴う前記培地を含むキットであって、さらに：
（ａ）エンベロープウイルスを産生するために適切な１つ以上のプラスミド；及び／又は
（ｂ）前記ウイルスを産生するために適切な細胞
を含む、請求項１〜９のいずれか一項記載のプロセスを適用するためのキット。
【請求項１１】
請求項１〜９のいずれか一項記載のエンベロープウイルスを産生するためのプロセスを適用するための説明書をさらに含む、請求項１０記載のキット。
【請求項１２】
（ｉ）請求項１〜９のいずれか一項記載のプロセスを適用するための手段及び（ｉｉ）該プロセスを適用するために従うべき説明書を含む、前記プロセスを適用するためのキット。
【請求項１３】
中に含まれる手段が、以下の手段：
（ａ）エンベロープウイルスを産生するために適切な１つ以上のプラスミド；
（ｂ）前記ウイルスを産生するために適切な細胞；及び
（ｃ）弱酸性培地、又は培地のｐＨを弱酸性値にするために有用な１つ以上の溶液を伴う培地
の１つ以上より選択される、請求項１２記載のキット。
【請求項１４】
手段（ａ）及び（ｂ）、（ａ）及び（ｃ）、（ｂ）及び（ｃ）又は（ａ）及び（ｂ）及び（ｃ）を含む、請求項１３記載のキット。
【請求項１５】
培地のｐＨを弱酸性値にするために有用な１つ以上の溶液を伴う前記培地を含む、請求項１〜９のいずれか一項記載のプロセスを適用するためのキット。
【手続補正書】
【提出日】平成29年8月1日(2017.8.1)
【手続補正１】
【補正対象書類名】特許請求の範囲
【補正対象項目名】全文
【補正方法】変更
【補正の内容】
【特許請求の範囲】
【請求項１】
無線通信のための装置であって、
前記装置とデバイスとの間で交換されているフレームのシーケンスのうちのフレームのフィールドの少なくとも１つのビットの値によって、前記装置がフレームのシーケンスの後続のスピードフレーム交換を開始しているか否かを示すように構成された処理システムと、
前記フレームを前記デバイスに送信するように構成された送信機と、
を備える、装置。
【請求項２】
前記フィールドは、応答指示フィールドを備え、
前記処理システムは、好ましくは、前記応答指示フィールドの前記少なくとも１つのビットを、前記装置が前記後続の交換を開始していることを示すためにＬｏｎｇ  Ｒｅｓｐｏｎｓｅに関連付けられた値に設定するように構成され、
前記後続の交換は、スピードフレーム交換を備える、請求項１に記載の装置。
【請求項３】
前記処理システムは、前記応答指示フィールドの前記少なくとも１つのビットを、１に設定されたＭｏｒｅＤａｔａフィールドを有する受信された先行のフレームに応答して前記装置が前記後続の交換を開始していることを示すためにＬｏｎｇ  Ｒｅｓｐｏｎｓｅに関連付けられた値に設定するように構成されている、請求項２に記載の装置。
【請求項４】
前記処理システムは、前記応答指示フィールドの前記少なくとも１つのビットを、前記装置が後続のスピードフレーム交換を開始していないことを示すために固定された持続時間を有する応答のタイプに関連付けられた値に設定するように構成されている、請求項２に記載の装置。
【請求項５】
前記処理システムは、前記応答指示フィールドの前記少なくとも１つのビットを、０に設定されたＭｏｒｅＤａｔａフィールドを有する受信された先行のフレームに応答して前記装置が後続のスピードフレーム交換を開始していないことを示すために固定された持続時間を有する応答のタイプに関連付けられた値に設定するように構成されている、請求項２に記載の装置。
【請求項６】
前記処理システムは、前記応答指示フィールドの前記少なくとも１つのビットを、前記装置が後続のスピードフレーム交換を開始していないことを示すためにＮｏ  Ｒｅｓｐｏｎｓｅ、ヌルデータパケット（ＮＤＰ）Ｒｅｓｐｏｎｓｅ、またはＮｏｒｍａｌ  Ｒｅｓｐｏｎｓｅのうちの少なくとも１つに関連付けられた値に設定するように構成されている、請求項２に記載の装置。
【請求項７】
前記スピードフレーム交換は、双方向送信機会（ＴＸＯＰ）を備える、請求項１に記載の装置。
【請求項８】
前記スピードフレーム交換の間に交換された前記フレームのシーケンスは、ショートインターフレームスペース（ＳＩＦＳ）時間によって隔てられる、請求項１に記載の装置。
【請求項９】
装置による無線通信のための方法であって、
前記装置とデバイスとの間で交換されているフレームのシーケンスのうちのフレームのフィールドの少なくとも１つのビットの値によって、前記装置がフレームのシーケンスの後続のスピードフレーム交換を開始しているか否かを示すことと、
前記フレームを前記デバイスに送信することと、
を備える、方法。
【請求項１０】
ステーション（ＳＴＡ）であって、
少なくとも１つのアンテナと、
前記ＳＴＡとデバイスとの間で交換されているフレームのシーケンスのうちのフレームを前記少なくとも１つのアンテナを介して受信するように構成された受信機と、ここで、前記フレームのシーケンスは、交換の一部として交換されている、
前記フレームのフィールドの少なくとも１つのビットの値によって、前記デバイスがフレームのシーケンスの後続のスピードフレーム交換を開始しているか否かを決定するように構成された処理システムと、
を備える、ＳＴＡ。
【請求項１１】
前記スピードフレーム交換は、双方向送信機会（ＴＸＯＰ）を備え、および／または前記スピードフレーム交換の間に交換された前記フレームのシーケンスは、ショートインターフレームスペース（ＳＩＦＳ）時間によって隔てられる、請求項１に記載の装置。
【請求項１２】
装置による無線通信のための方法であって、
前記装置とデバイスとの間で交換されているフレームのシーケンスのうちのフレームを受信することと、
前記フレームのフィールドの少なくとも１つのビットの値によって、前記デバイスがフレームのシーケンスの後続のスピードフレーム交換を開始しているか否かを決定することと、
を備える、方法。
【請求項１３】
応答指示フィールドを備える前記フレームのシーケンスのうちの少なくとも１つのフレームを生成することと、
前記応答指示フィールドの少なくとも１つのビットを、前記少なくとも１つのフレームがバースト応答の最後のフレームである場合にはＩｍｍｅｄｉａｔｅ  Ｒｅｓｐｏｎｓｅに関連付けられた値に、または前記少なくとも１つのフレームが前記バースト応答の前記最後のフレームではない場合にはＮｏ  Ｒｅｓｐｏｎｓｅに関連付けられた値に、設定することと、
前記少なくとも１つのフレームを前記デバイスに送信することと、
をさらに備える、請求項１２に記載の方法。
【請求項１４】
前記スピードフレーム交換は、双方向送信機会（ＴＸＯＰ）を備え、および／または前記スピードフレーム交換の間に交換された前記フレームのシーケンスは、ショートインターフレームスペース（ＳＩＦＳ）時間によって隔てられる、請求項１２に記載の方法。
【請求項１５】
プロセッサによって実行されるとき、前記プロセッサに、請求項９、および１２乃至１４のいずれかの方法ステップを実行させるコードを備えるコンピュータ実行可能なコード
を記憶する、コンピュータ読取可能媒体。
【手続補正書】
【提出日】平成29年8月22日(2017.8.22)
【手続補正１】
【補正対象書類名】特許請求の範囲
【補正対象項目名】全文
【補正方法】変更
【補正の内容】
【特許請求の範囲】
【請求項１】
哺乳動物の免疫抑制を低減又は軽減するための医薬組成物の製造における作用剤の使用であって、前記作用剤は、前記哺乳動物の１つ又は複数の細胞におけるＣＤ９６活性を少なくとも部分的に阻害又は低減することにより、前記哺乳動物の免疫抑制を軽減し、又は、免疫監視を強化又は回復させる、使用。
【請求項２】
前記哺乳動物におけるＣＤ９６活性を少なくとも部分的に阻害又は低減することが、前記哺乳動物のＣＤ９６発現細胞を死滅させることを含まないか、又は少なくともそれに依存しない、請求項１に記載の使用。
【請求項３】
前記作用剤が、前記哺乳動物のＣＤ９６阻害剤である、請求項１又は請求項２に記載の使用。
【請求項４】
前記ＣＤ９６阻害剤が、ＣＤ９６の１つ又は複数の外部免疫グロブリン様ドメインと結合又は相互作用する、請求項３に記載の使用。
【請求項５】
前記ＣＤ９６阻害剤が、ドメイン１；ドメイン２；ドメイン３；ドメイン１及びドメイン２；ドメイン１及びドメイン３；ドメイン２及びドメイン３；並びにドメイン１、ドメイン２及びドメイン３からなる群から選択される、ＣＤ９６の１つ又は複数の外部免疫グロブリン様ドメインと結合するか又はそれと相互作用する、請求項３に記載の使用。
【請求項６】
前記ＣＤ９６阻害剤が、ヒトＣＤ９６アイソフォーム２（配列番号２）の１つ又は複数の外部免疫グロブリン様ドメインと結合するか又はそれと相互作用する、請求項４又は請求項５に記載の使用。
【請求項７】
前記ＣＤ９６阻害剤が、ＣＤ１５５へのＣＤ９６の結合及びＣＤ９６による細胞内シグナル伝達の少なくとも一方を少なくとも部分的に阻止又は阻害する、請求項３〜６のいずれか一項に記載の使用。
【請求項８】
前記ＣＤ９６阻害剤が、抗ＣＤ９６抗体又は抗体断片である、請求項７に記載の使用。
【請求項９】
前記医薬組成物は、１つ又は複数の他の治療剤と組み合わせて投与されるものである、請求項１〜８のいずれか一項に記載の使用。
【請求項１０】
前記１つ又は複数の他の治療剤が、化学療法剤と、ＰＤ１及びＣＴＬＡ４の少なくとも一方と結合する１つ又は複数の抗体又は抗体断片とを含む、請求項９に記載の使用。
【請求項１１】
前記作用剤は、前記哺乳動物の１つ又は複数の細胞による、サイトカイン及びケモカインの少なくとも一方の発現、分泌、又はそれらの両方を増加又は増強する、請求項１〜１０のいずれか一項に記載の使用。
【請求項１２】
前記サイトカイン及びケモカインの少なくとも一方が、ＭＩＰ−１α、ＭＩＰ−１β、ＲＡＮＴＥＳ、ＴＮＦ−α、及びＩＦＮ−γを含む、請求項１１に記載の使用。
【請求項１３】
前記サイトカインがインターフェロンγ（ＩＦＮ−γ）である、請求項１２に記載の使用。
【請求項１４】
前記１つ又は複数の細胞が、ＣＤ４＋及びＣＤ８＋Ｔ細胞、γδＴ細胞、及びＮＫ  Ｔ細胞、及びナチュラルキラー（ＮＫ）細胞を含むＴ細胞である、請求項１１、請求項１２、又は請求項１３に記載の使用。
【請求項１５】
前記医薬組成物は、前記哺乳動物の癌又は癌転移を治療又は予防するための医薬組成物である、請求項１〜１４のいずれか一項に記載の使用。
【請求項１６】
前記医薬組成物は、前記哺乳動物のウイルス感染症を治療又は予防するための医薬組成物である、請求項１〜１５のいずれか一項に記載の使用。
【請求項１７】
前記哺乳動物がヒトである、請求項１〜１６のいずれか一項に記載の使用。
【請求項１８】
ＣＤ９６阻害剤を、スクリーニング、設計、遺伝子操作、又は他の手段で製造するための方法であって、候補分子が、ＣＤ９６活性を少なくとも部分的に阻害又は低減することにより、哺乳動物において免疫抑制を軽減すること、又は免疫監視を強化又は回復させること、又はそれらの両方が可能であるか否かを決定するステップを含む方法。
【請求項１９】
前記ＣＤ９６阻害剤が、ＣＤ９６の１つ又は複数の外部免疫グロブリン様ドメインと結合又は相互作用する、請求項１８に記載の方法。
【請求項２０】
前記ＣＤ９６阻害剤が、ドメイン１；ドメイン２；ドメイン３；ドメイン１及びドメイン２；ドメイン１及びドメイン３；ドメイン２及びドメイン３；並びにドメイン１、ドメイン２及びドメイン３からなる群から選択される、ＣＤ９６の１つ又は複数の外部免疫グロブリン様ドメインと結合又は相互作用する、請求項１９に記載の方法。
【請求項２１】
前記ＣＤ９６阻害剤が、ヒトＣＤ９６アイソフォーム２（配列番号２）の１つ又は複数の外部免疫グロブリン様ドメインと結合又は相互作用する、請求項１９又は請求項２０に記載の方法。
【請求項２２】
前記ＣＤ９６阻害剤が抗体又は抗体断片である、請求項１８〜２１のいずれか一項に記載の方法。
【請求項２３】
前記ＣＤ９６阻害剤が抗癌剤である、請求項１８〜２２のいずれか一項に記載の方法。
【請求項２４】
前記ＣＤ９６阻害剤が抗ウイルス剤である、請求項１５〜２３のいずれか一項に記載の方法。
【請求項２５】
前記哺乳動物がヒトである、請求項１８〜２４のいずれか一項に記載の方法。
【請求項２６】
請求項１８〜２５のいずれか一項に記載の方法により、スクリーニング、設計、遺伝子操作、又は他の手段で製造されたＣＤ９６阻害剤。
【請求項２７】
請求項１〜１７のいずれか一項に記載の方法により使用するための、請求項２６に記載のＣＤ９６阻害剤。
【手続補正書】
【提出日】平成29年8月29日(2017.8.29)
【手続補正１】
【補正対象書類名】特許請求の範囲
【補正対象項目名】全文
【補正方法】変更
【補正の内容】
【特許請求の範囲】
【請求項１】
有効量の化学療法薬、及び有効量の放射線治療を含む治療と組み合わせて、膠芽腫と診断された患者を治療するための、有効量の抗ＶＥＧＦ抗体を含む医薬であって、
抗ＶＥＧＦ抗体を用いずに前記化学療法薬を投与される膠芽腫患者と比較して、前記患者の全生存期間中央値を延長させる、医薬。
【請求項２】
有効量の抗ＶＥＧＦ抗体、有効量の化学療法薬、及び有効量の放射線治療が、同時に、順次に、又は別々に、組み合わせて前記患者に投与される、請求項１に記載の医薬。
【請求項３】
前記患者のＷＨＯパフォーマンス状態が２以下である、請求項１又は２に記載の医薬。
【請求項４】
前記化学療法薬がテモゾロミド（ＴＭＺ）である、請求項１〜３の何れか一項に記載の医薬。
【請求項５】
前記ＴＭＺが１５０ｍｇ／ｍ２で投与される、請求項４に記載の医薬。
【請求項６】
前記ＴＭＺが２００ｍｇ／ｍ２で投与される、請求項４に記載の医薬。
【請求項７】
前記放射線治療を２Ｇｙで施行する、請求項１〜６の何れか一項に記載の医薬。
【請求項８】
前記抗ＶＥＧＦ抗体がＡ４．６．１エピトープに結合する、請求項１〜７の何れか一項に記載の医薬。
【請求項９】
前記抗ＶＥＧＦ抗体がベバシズマブである、請求項１〜８の何れか一項に記載の医薬。
【請求項１０】
前記抗ＶＥＧＦ抗体が、可変重鎖（ＶＨ）及び可変軽鎖（ＶＬ）を含み、前記ＶＨは、配列番号２のアミノ酸配列を有し、前記ＶＬは配列番号１のアミノ酸配列を有する、請求項１〜９の何れか一項に記載の医薬。
【請求項１１】
前記抗ＶＥＧＦ抗体の前記有効量が、２週間隔の静脈内１０ｍｇ／ｋｇである、請求項１〜１０の何れか一項に記載の医薬。
【請求項１２】
前記抗ＶＥＧＦ抗体の前記有効量が、３週間隔の静脈内１５ｍｇ／ｋｇである、請求項１〜１０の何れか一項に記載の医薬。
【請求項１３】
前記有効量の前記抗ＶＥＧＦ抗体が、初回は静脈内に９０分かけて投与され、続いて６０分かけて注入され、その後、３０分かけて注入される、請求項１〜１２の何れか一項に記載の医薬。
【請求項１４】
第１のサイクルにおいて前記患者に前記抗ＶＥＧＦ抗体が最初に投与される、請求項１〜１３の何れか一項に記載の医薬。
【請求項１５】
前記抗ＶＥＧＦ抗体の順次投与が、前記化学療法薬の前、または後に行われる、請求項１〜１４の何れか一項に記載の医薬。
【請求項１６】
前記膠芽腫が前神経性サブタイプである、請求項１〜１５の何れか一項に記載の医薬。
【請求項１７】
前記膠芽腫が新たに診断された膠芽腫である、請求項１〜１６の何れか一項に記載の医薬。
【請求項１８】
前記抗ＶＥＧＦ抗体が、前記化学療法薬と同時に投与される、請求項１〜１７の何れか一項に記載の医薬。
【請求項１９】
前記全生存期間中央値が、抗ＶＥＧＦ抗体を用いずに前記化学療法薬を投与される膠芽腫患者と比較して、約４．９か月延長され、ハザード比（ＨＲ）が０．４２である、請求項１〜１８の何れか一項に記載の医薬。
【請求項２０】
前記全生存期間中央値が、抗ＶＥＧＦ抗体を用いずに前記化学療法薬を投与される膠芽腫患者と比較して、約４．９か月延長され、ハザード比（ＨＲ）が約０．２４〜約０．７２である、請求項１〜１９の何れか一項に記載の医薬。
【請求項２１】
前記患者が６５歳未満である、請求項１９又は２０に記載の医薬。
【請求項２２】
前記患者が６５歳以上である、請求項１９又は２０に記載の医薬。
【請求項２３】
抗ＶＥＧＦ抗体を用いずに前記化学療法薬を投与される膠芽腫患者に比較して、膠芽腫と診断された患者の全生存期間中央値を延長させるための医薬の製造における、有効量の抗ＶＥＧＦ抗体の使用であって、
抗ＶＥＧＦ抗体、化学療法薬、及び放射線治療が同時に、順次に、又は別々に、組み合わせて投与される医薬の製造における、使用。
【請求項２４】
抗ＶＥＧＦ抗体を用いずに前記化学療法薬を投与される膠芽腫患者に比較して、膠芽腫と診断された患者の全生存期間中央値を延長させるための医薬の製造における、有効量の抗ＶＥＧＦ抗体、化学療法薬、及び放射線治療の使用。
【請求項２５】
抗ＶＥＧＦ抗体を用いずに前記化学療法薬を投与される膠芽腫患者に比較して、膠芽腫と診断された患者の全生存期間中央値を延長させる方法における使用のための、有効量の抗ＶＥＧＦ抗体、化学療法薬、及び放射線治療を含む、組成物。
【請求項２６】
本質的にエピトープＡ４．６．１に結合する抗ＶＥＧＦ抗体、化学療法薬、並びに、膠芽腫と診断された患者に有効量の抗ＶＥＧＦ抗体及び化学療法薬を投与することを含む、膠芽腫と診断された前記患者の治療のための指示を有する添付文書またはラベルを含むキットであって、前記患者が、それまでに２以下の抗癌レジメンを受けており、前記治療が、抗ＶＥＧＦ抗体を用いずに前記化学療法薬を投与される膠芽腫患者と比較して、前記患者の全生存期間中央値を延長する、前記キット。
【請求項２７】
前記抗ＶＥＧＦ抗体がベバシズマブである、請求項２６に記載のキット。
【請求項２８】
前記膠芽腫が前神経性サブタイプである、請求項２６又は２７に記載のキット。
【請求項２９】
前記膠芽腫が新たに診断された膠芽腫である、請求項２６〜２８の何れか一項に記載のキット。
【手続補正書】
【提出日】平成29年8月4日(2017.8.4)
【手続補正１】
【補正対象書類名】特許請求の範囲
【補正対象項目名】全文
【補正方法】変更
【補正の内容】
【特許請求の範囲】
【請求項１】
生体分子を回収するための正に荷電した微粒子及び／又は負に荷電した微粒子の使用であって、該正に荷電した微粒子が粉砕したポリマー陰イオン交換樹脂を含み、該負に荷電した微粒子が粉砕したポリマー陽イオン交換樹脂を含む、使用。
【請求項２】
生体分子がポリペプチド又はポリヌクレオチドである、請求項１に記載の使用。
【請求項３】
該正に荷電した微粒子及び／又は負に荷電した微粒子がフロックを形成する、請求項１に記載の使用。
【請求項４】
細胞を破砕するための正に荷電した微粒子及び／又は負に荷電した微粒子の使用であって、該正に荷電した微粒子が粉砕したポリマー陰イオン交換樹脂を含み、該負に荷電した微粒子が粉砕したポリマー陽イオン交換樹脂を含む、使用。
【請求項５】
陰イオン交換樹脂及び陽イオン交換樹脂が、ポリスチレン系、ヒドロキシエチルメタクリラート（ＨＥＭＡ）系、ジメチルアミノエチルメタクリラート（ＤＭＡＥＭＡ）系、ジメチルアミノエチルメタクリラート（ｐＤＭＡＥＭＡ）、ポリアクリルアミド系、メタクリル酸（ＭＡＡ）系である、先行する請求項のいずれか一項に記載の使用。
【請求項６】
陽イオン交換樹脂及び陰イオン交換樹脂が、ジビニルベンゼンと架橋したポリスチレンである、先行する請求項のいずれか一項に記載の使用。
【請求項７】
微粒子が約５μm未満の平均粒子径を有する、先行する請求項のいずれか一項に記載の使用。
【請求項８】
正に荷電した微粒子又は負に荷電した微粒子が、ポリマー陰イオン交換及び／又は陽イオン交換樹脂を粉砕することによって得られ得る、先行する請求項のいずれか一項に記載の使用。
【請求項９】
陰イオン交換樹脂が、Ａｍｂｅｒｌｉｔｅ  ＩＲＡ−４００、Ａｍｂｅｒｌｉｔｅ  ＩＲＡ−４８５、Ｄｏｗｅｘ  １Ｘ２−１００、Ｄｏｗｅｘ  １−８−１００、Ｍａｒａｔｈｏｎ  Ａ２又はＤＩＡＩＯＮ  ＳＡ  ２０Ａである、先行する請求項のいずれか一項に記載の使用。
【請求項１０】
陽イオン交換樹脂が、Ａｍｂｅｒｌｉｔｅ  ＩＲＣ−７４８、Ｄｏｗｅｘ  ５０  ＷＸ２−１００、Ｄｏｗｅｘ  ５０  ＷＸ８−１００、Ｍａｒａｔｈｏｎ  ＭＳＣ又はＤＩＡＩＯＮ  ＳＫ  １１０である、先行する請求項のいずれか一項に記載の使用。
【請求項１１】
細胞が真核細胞又は原核細胞である、先行する請求項のいずれか一項に記載の使用。
【請求項１２】
生体液から生体分子を得る方法であって、ａ）請求項１〜１０のいずれか一項に定義される正に荷電した微粒子及び／又は負に荷電した微粒子を生体液に添加すること、並びに該生体液から該生体分子を回収することを含む、方法。
【請求項１３】
ｂ）前記微粒子にフロックを形成させること、ｃ）生体液から該フロックを除去すること、及びｄ）該フロックから生体分子を脱離することを更に含む、請求項１２に記載の方法。
【請求項１４】
細胞を破砕する方法であって、正に荷電した微粒子及び／又は負に荷電した微粒子を細胞懸濁液に添加することを含む、方法。
【請求項１５】
細胞から生体分子を放出させることを更に含む、請求項１４に記載の方法。
【請求項１６】
生体分子がポリペプチド又はポリヌクレオチドである、請求項１４又は１５に記載の方法。
【請求項１７】
正に荷電した微粒子及び／又は負に荷電した微粒子を含む生体液であって、該正に荷電した微粒子が粉砕したポリマー陰イオン交換樹脂を含み、該負に荷電した微粒子が粉砕したポリマー陽イオン交換樹脂を含む、生体液。
【請求項１８】
フロックを更に含む、請求項１７に記載の液。
【手続補正書】
【提出日】平成29年9月8日(2017.9.8)
【手続補正１】
【補正対象書類名】特許請求の範囲
【補正対象項目名】全文
【補正方法】変更
【補正の内容】
【特許請求の範囲】
【請求項１】
脆弱Ｘ症候群または関連障害の症状の処置または緩和のための、メタドキシンを含んでなる組成物。
【請求項２】
１００〜３０００ｍｇの間の総一日用量のメタドキシンを投与することを含んでなる、請求項１に記載の組成物。
【請求項３】
前記メタドキシンが毎日、１日おきに、または毎週投与される、請求項１に記載の組成物。
【請求項４】
前記メタドキシンが１日当たり１、２、または３種類の剤形で投与される、請求項１に記載の組成物。
【請求項５】
前記メタドキシンが持続放出経口剤形で投与され、前記メタドキシンが徐放形態と即時放出形態の組合せとして処方される、請求項１に記載の組成物。
【請求項６】
（ａ）徐放形態が少なくとも８時間の前記メタドキシンの持続放出を提供し、かつ、
（ｂ）徐放メタドキシンと即時放出メタドキシンの相対比が約６０：４０〜８０：２０の間である、
請求項５に記載の組成物。
【請求項７】
前記徐放メタドキシンと前記即時放出メタドキシンの相対比が約６５：３５である、請求項６に記載の組成物。
【請求項８】
前記症状が学習障害または社会的行動障害である、請求項１に記載の組成物。
【請求項９】
前記関連障害が自閉症スペクトラム障害である、請求項１に記載の組成物。
【手続補正書】
【提出日】平成29年7月5日(2017.7.5)
【手続補正１】
【補正対象書類名】特許請求の範囲
【補正対象項目名】全文
【補正方法】変更
【補正の内容】
【特許請求の範囲】
【請求項１】
寛容を誘導し、腸管バリアの完全性を強化し、及び炎症を低減する効果を有する組成物であって、（ａ）１以上の短鎖脂肪酸若しくは短鎖脂肪酸誘導体；（ｂ）少なくとも１のＧＰＲ１０９リガンド；（ｃ）少なくとも１のＧＰＲ４３リガンド；（ｄ）少なくとも１のヒストンデアセチラーゼ（ＨＤＡＣ）阻害剤；（ｅ）１以上の、クロストリジウムクラスターＩＶ、クロストリジウムクラスターＸＩＶａ、若しくはクロストリジウムクラスターＸＶＩＩＩに属する細菌由来の抗原；（ｆ）フラジェリンポリペプチド；又は（ｇ）（ａ）〜（ｄ）のうちの少なくとも１と（ｅ）〜（ｆ）のうちの１との組み合わせを含む、組成物。
【請求項２】
（ａ）が酪酸塩、イソ酪酸塩、プロピオン酸塩、酢酸塩、トリブチリン、酪酸ピバロイルオキシメチル、及びモノアセトングルコース  ３−ブチラートから成る群から選択される、請求項１の組成物。
【請求項３】
（ａ）が酪酸塩である、請求項１又は２の組成物。
【請求項４】
（ａ）が酪酸塩、イソ酪酸塩、プロピオン酸塩、及び酢酸塩の、塩の混合物である、請求項１の組成物。
【請求項５】
（ｆ）がフラジェリン、フラジェリン様配列、フラジェリンの成分、ＣＢｉｒ１、Ｆｌａ−Ｘ、ＦｌｉＣ、ＦｌｉＤ、ＦｌｇＫ、ＦｌｇＣ及びＦｌｇＥから成る群から選択される、請求項１の組成物。
【請求項６】
（ｆ）がフラジェリンである、請求項１の組成物。
【請求項７】
（ｅ）の細菌が、クロストリジウムクラスターＩＶからの細菌とクロストリジウムクラスターＸＩＶａからの細菌との組み合わせ、又はクロストリジウムクラスターＩＶからの細菌とクロストリジウムクラスターＸＶＩＩＩからの細菌との組み合わせ、又はクロストリジウムクラスターＸＩＶａからの細菌とクロストリジウムクラスターＸＶＩＩＩからの細菌との組み合わせ、又はクロストリジウムクラスターＩＶからの細菌、クロストリジウムクラスターＸＩＶａからの細菌及びクロストリジウムクラスターＸＶＩＩＩからの細菌の組み合わせを含む、請求項１の組成物。
【請求項８】
寛容を誘導し、腸管バリアの完全性を強化し、及び炎症を低減する効果を有する組成物であって、酪酸塩及びフラジェリンを含む、組成物。
【請求項９】
寛容を誘導し、腸管バリアの完全性を強化し、及び炎症を低減する効果を有する組成物であって、酪酸塩、イソ酪酸塩、プロピオン酸塩、及び酢酸塩の、塩の混合物並びにフラジェリンを含む、組成物。
【請求項１０】
組成物を結腸粘膜に選択的に指向する送達システムを更に含む、請求項１〜９のいずれか１項の組成物。
【請求項１１】
請求項１〜１０のいずれか１項に記載の組成物及び医薬的に許容可能な成分を含む、医薬組成物。
【請求項１２】
寛容を誘導し、腸管バリアの完全性を強化し、及び／又は炎症を低減するための、請求項１〜１０のいずれか１項の組成物又は請求項１１の医薬組成物。
【請求項１３】
自己免疫疾患、炎症性疾患、アレルギー疾患、及び感染性疾患から選択される少なくとも１の疾患を治療し、治療補助し、重篤度を低減し、又は予防するための、請求項１〜１０のいずれか１項の組成物又は請求項１１の医薬組成物。
【請求項１４】
寛容を誘導し、腸管バリアの完全性を強化し、及び／又は炎症を低減するための医薬を製造するための、請求項１〜１０のいずれか１項の組成物又は請求項１１の医薬組成物の使用。
【請求項１５】
自己免疫疾患、炎症性疾患、アレルギー疾患、及び感染性疾患から選択される少なくとも１の疾患を治療し、治療補助し、重篤度を低減し、又は予防するための医薬を製造するための、請求項１〜１０のいずれか１項の組成物又は請求項１１の医薬組成物の使用。
【請求項１６】
クロストリジウムクラスターＩＶ、クロストリジウムクラスターＸＩＶａ、又はクロストリジウムクラスターＸＶＩＩＩに属する細菌に発現する抗原に特異的なＴ細胞の活性化を決定する方法であって、（ａ）該抗原を認識する細胞を含むと疑われる被験体由来の試料を提供する工程；（ｂ）試料と該抗原のエピトープを含有するＭＨＣクラスＩＩテトラマー複合体とを接触させる工程；及び（ｃ）試料の細胞とエピトープを含有するＭＨＣクラスＩＩテトラマーとの結合が生じているか否か決定する工程を含む、方法。
【手続補正書】
【提出日】平成29年6月26日(2017.6.26)
【手続補正１】
【補正対象書類名】特許請求の範囲
【補正対象項目名】全文
【補正方法】変更
【補正の内容】
【特許請求の範囲】
【請求項１】
細菌細胞および腫瘍浸透剤の組合せ有効量を含む、被験者において癌を処置するための組合せ。
【請求項２】
前記組合わせ有効量が、組合せ相乗量である、請求項１に記載の組合せ。
【請求項３】
細菌細胞及び腫瘍浸透剤の組合わせ有効量を含む、被験者において免疫系を刺激するための組合せ。
【請求項４】
免疫応答が、抗癌免疫応答である、請求項３に記載の組合せ。
【請求項５】
抗癌剤を更に含む、請求項１〜４のいずれか１項に記載の組合せ。
【請求項６】
細菌細胞、腫瘍浸透剤および抗癌剤を含む、抗癌剤の腫瘍細胞への送達を促進するための組合せであって、前記腫瘍細胞を細菌細胞、腫瘍浸透剤及び抗癌剤に接触させる、前記組合せ。
【請求項７】
抗癌剤が、小分子、核酸、ポリペプチド、及び、抗体からなる群から選択される、請求項５または６に記載の組合せ。
【請求項８】
細菌細胞がサルモネラ細菌細胞である、請求項１〜６のいずれか１項に記載の組合せ。
【請求項９】
サルモネラ細菌細胞が、ＹＳ１６４６（ＡＴＣＣ＃２０２１６５）、ＲＥ８８、ＬＨ４３０、ＳＬ７２０７、χ８４２９、χ８４３１、及び、χ８４６８からなる群から選択される、請求項８に記載の組合せ。
【請求項１０】
細菌細胞が、アンチセンス核酸を含む、請求項１〜６のいずれか１項に記載の組合せ。
【請求項１１】
アンチセンス核酸が、免疫抑制標的を標的とする、請求項１０に記載の組合せ。
【請求項１２】
免疫抑制標的が、ＳＴＡＴ３、ＩＤＯ１、ＩＤＯ２、アルギナーゼ１、ｉＮＯＳ、ＣＴＬＡ−４、ＴＧＦ−β、ＩＬ−１０、ｐＧＥ２、または、ＶＥＧＦである、請求項１１に記載の組合せ。
【請求項１３】
アンチセンス核酸が、配列番号：３〜３１からなる群から選択される、請求項１０に記載の組合せ。
【請求項１４】
腫瘍浸透剤がヒアルロニダーゼポリペプチドである、請求項１または６に記載の組合せ。
【請求項１５】
サルモネラ細菌細胞、及び、ヒアルロニダーゼポリペプチドを含む組成物。
【請求項１６】
サルモネラ細菌細胞が、ＹＳ１６４６（ＡＴＣＣ＃２０２１６５）、ＲＥ８８、ＬＨ４３０、ＳＬ７２０７、χ８４２９、χ８４３１、及びχ８４６８からなる群から選択される、請求項１５に記載の組成物。
【請求項１７】
細菌細胞がアンチセンス核酸を含む、請求項１５に記載の組成物。
【請求項１８】
アンチセンス核酸が、免疫抑制標的を標的とする、請求項１７に記載の組成物。
【請求項１９】
アンチセンス核酸が、配列番号：３〜３１からなる群から選択される、請求項１７に記載の組成物。
【請求項２０】
抗癌剤を更に含む、請求項１５に記載の組成物。
【請求項２１】
細菌細胞を含む癌処置のための医薬組成物であって、腫瘍浸透剤と組合せて投与されることを特徴とする、前記医薬組成物。
【請求項２２】
細菌細胞を含む、被験者において免疫系を刺激するための医薬組成物であって、腫瘍浸透剤と組合せて投与されることを特徴とする、前記医薬組成物。
【請求項２３】
抗癌剤の腫瘍細胞への送達を促進するための、細菌細胞を含む医薬組成物であって、腫瘍浸透剤および抗癌剤と組合せて投与され、腫瘍細胞を細菌細胞、腫瘍浸透剤および抗癌剤と接触させる、前記医薬組成物。
【手続補正書】
【提出日】平成29年6月30日(2017.6.30)
【手続補正１】
【補正対象書類名】特許請求の範囲
【補正対象項目名】全文
【補正方法】変更
【補正の内容】
【特許請求の範囲】
【請求項１】
外層がエネルギー吸収材料を含んでおり内層が非粘着性材料を含んでいる、少なくとも２層を有する凹状ラミナ
を含む、歯科で使用される改善されたユニバーサル・サービカル・マトリックス。
【請求項２】
外層および内層の間にコア層をさらに含み、コア層が、熱を伝導させる材料を含む、請求項１に記載のユニバーサル・サービカル・マトリックス。
【請求項３】
コア層の材料が金属である、請求項２に記載のユニバーサル・サービカル・マトリックス。
【請求項４】
エネルギー吸収材料が、近紫外から青色光を吸収することが可能である、請求項１に記載のユニバーサル・サービカル・マトリックス。
【請求項５】
非粘着性材料が非粘着性ポリマーである、請求項１に記載のユニバーサル・サービカル・マトリックス。
【請求項６】
非粘着性材料がフルオロポリマーである、請求項５に記載のユニバーサル・サービカル・マトリックス。
【請求項７】
非粘着性材料が、ポリテトラフルオロエチレン、パーフルオロアルコキシ、またはフッ素化エチレンプロピレンの１種である、請求項６に記載のユニバーサル・サービカル・マトリックス。
【請求項８】
ハンドルを有する、請求項１に記載のユニバーサル・サービカル・マトリックス。
【請求項９】
ハンドルが、その内部に、ピンセットで把持することが可能な空隙を有する、請求項８に記載のユニバーサル・サービカル・マトリックス。
【手続補正書】
【提出日】平成29年7月14日(2017.7.14)
【手続補正１】
【補正対象書類名】特許請求の範囲
【補正対象項目名】全文
【補正方法】変更
【補正の内容】
【特許請求の範囲】
【請求項１】
ａ）０．３〜２５．０μｍの平均粒径、および０．５〜３０．０ｍ２／ｇのＢＥＴ表面積を有する９０．０〜９９．９９重量％の少なくとも１種のか焼酸化アルミニウムＡ；ならびに
ｂ）水酸化マグネシウム、水酸化カルシウム、水酸化ストロンチウム、水酸化バリウムおよびこれらの水和物、酸化マグネシウム、酸化カルシウム、酸化ストロンチウム、ならびに酸化バリウムからなる群から選択される０．０１〜１０．０重量％の少なくとも１種の成分Ｂ；
を含み、重量によるそれぞれの割合は水硬性結合剤系の合計量に基づく、耐熱材料中に使用するための水硬性結合剤系。
【請求項２】
０．０５〜４．９５重量％の少なくとも１種の可塑剤Ｃがさらに存在することを特徴とする、請求項１に記載の結合剤系。
【請求項３】
少なくとも１種のか焼酸化アルミニウムＡが、
ａ）１．８〜８．０μｍの平均粒径、および０．５〜２．０ｍ２／ｇのＢＥＴ比表面積を有する少なくとも１種のか焼酸化アルミニウムＡ１
または
ｂ）０．３〜１．７μｍの平均粒径、および２．０〜１０．０ｍ２／ｇのＢＥＴ比表面積を有する少なくとも１種のか焼酸化アルミニウムＡ２
であることを特徴とする、請求項１または２に記載の結合剤系。
【請求項４】
少なくとも２種の異なるか焼酸化アルミニウムＡが存在することを特徴とする、請求項１から３のいずれかに記載の結合剤系。
【請求項５】
ａ）１．８〜８．０μｍの平均粒径、および０．５〜２．０ｍ２／ｇのＢＥＴ比表面積を有する少なくとも１種のか焼酸化アルミニウムＡ１；
ならびに
ｂ）０．３〜１．７μｍの平均粒径、および２．０〜１０．０ｍ２／ｇのＢＥＴ比表面積を有する少なくとも１種のか焼酸化アルミニウムＡ２
が存在することを特徴とする、請求項４に記載の結合剤系。
【請求項６】
少なくとも１種の酸化アルミニウムＡが被覆されていることを特徴とする、請求項１から５のいずれかに記載の結合剤系。
【請求項７】
少なくとも１種の酸化アルミニウムＡが被覆されており、被覆剤がリン酸であることを特徴する、請求項１から６のいずれかに記載の結合剤系。
【請求項８】
成分Ｂが、１．０〜２０．０μｍの平均粒径、および０．５〜５０．０ｍ２／ｇのＢＥＴ表面積を有することを特徴とする、請求項１から７のいずれかに記載の結合剤系。
【請求項９】
少なくとも１種の成分Ｂが酸化マグネシウムであることを特徴とする、請求項１から８のいずれかに記載の結合剤系。
【請求項１０】
少なくとも１種の成分Ｂが水酸化カルシウムであることを特徴とする、請求項１から８のいずれかに記載の結合剤系。
【請求項１１】
少なくとも１種の成分Ｂが、水酸化ストロンチウムまたはその水和物であることを特徴とする、請求項１から８のいずれかに記載の結合剤系。
【請求項１２】
少なくとも１種の成分Ｂが、水酸化バリウムまたはその水和物であることを特徴とする、請求項１から８のいずれかに記載の結合剤系。
【請求項１３】
少なくとも１種の可塑剤Ｃがクエン酸三ナトリウムであることを特徴とする、請求項２から１２のいずれかに記載の結合剤系。
【請求項１４】
請求項１から１３のいずれかに記載の水硬性結合剤系を製造するための方法であって、
ａ）
−  ０．３〜２５．０μｍの平均粒径、および０．５〜３０．０ｍ２／ｇのＢＥＴ表面積を有する９０．０〜９９．９９重量％の少なくとも１種のか焼酸化アルミニウムＡを；
−  水酸化マグネシウム、水酸化カルシウム、水酸化ストロンチウム、水酸化バリウムおよびこれらの水和物、酸化マグネシウム、酸化カルシウム、酸化ストロンチウム、ならびに酸化バリウムからなる群から選択される０．０１〜１０．０重量％の少なくとも１種の成分Ｂ；
と混合するステップを含み、重量によるそれぞれの割合は水硬性結合剤系の合計量に基づく、方法。
【請求項１５】
０．０５〜４．９５重量％の少なくとも１種の可塑剤Ｃが、ステップａ）の間または後に添加されることを特徴とする、請求項１４に記載の方法。
【請求項１６】
ステップａ）で少なくとも１種のか焼酸化アルミニウムＡを少なくとも１種の成分Ｂおよび任意選択で少なくとも１種の可塑剤Ｃと混合することが、ジョイント粉砕によって実施されることを特徴とする、請求項１４または１５に記載の方法。
【請求項１７】
耐熱材料およびファインセラミック材料における請求項１から１３のいずれかに記載の水硬性結合剤系の使用方法。
【誤訳訂正書】
【提出日】平成29年8月21日(2017.8.21)
【誤訳訂正１】
【訂正対象書類名】特許請求の範囲
【訂正対象項目名】全文
【訂正方法】変更
【訂正の内容】
【特許請求の範囲】
【請求項１】
曲線状の第１のガラス層と；
実質的に平面の第２のガラス層と；
前記第１および第２のガラス層の中間に介在する少なくとも１つのポリマー中間層と
を備えたラミネート構造において、
前記第１のガラス層が、焼鈍しされたガラスから構成され、
前記第２のガラス層が、前記中間層に隣接する第１の表面および前記中間層の反対側の第２の表面を有する強化ガラスから構成され、前記第２のガラス層が、前記第１および第２の表面における表面圧縮応力の差を提供するために、前記第１のガラス層の湾曲に冷間成形されていることを特徴とする、ラミネート構造。
【請求項２】
前記第２のガラス層の前記強化ガラスが、化学強化ガラスまたは熱強化ガラスであり、前記第１の表面における前記表面圧縮応力が、前記第２の表面における前記表面圧縮応力より小さいことを特徴とする、請求項１に記載のラミネート構造。
【請求項３】
前記第１および第２のガラス層の厚さが異なることを特徴とする、請求項１または２に記載のラミネート構造。
【請求項４】
前記第２のガラス層の前記厚さが、１．５ｍｍ以下の厚さ、１．０ｍｍ以下の厚さ、０．７ｍｍ以下の厚さ、０．５ｍｍ以下の厚さ、０．５ｍｍ〜１．０ｍｍの範囲内の厚さ、０．５ｍｍ〜０．７ｍｍの厚さからなる群から選択され、
前記第１のガラス層の前記厚さが、２ｍｍ以上、２．５ｍｍ以上の厚さ、および１．５ｍｍ〜７．０ｍｍの範囲の厚さからなる群から選択されることを特徴とする、請求項１〜３のいずれか一項に記載のラミネート構造。
【請求項５】
第１のガラス層と；
第２のガラス層と；
前記第１および第２のガラス層の中間に介在する少なくとも１つのポリマー中間層と
を備えたラミネート構造において、
前記第１のガラス層が、第１および第２の表面を有する強化されたガラスから構成され、前記第２の表面が前記中間層と隣接し、かつ化学的に研磨されており、
前記第２のガラス層が、第３および第４の表面を有する強化ガラスから構成され、前記第４の表面が前記中間層の反対側にあり、かつ化学的に研磨されており、前記第３の表面が前記中間層と隣接し、かつ実質的に透明である、その上に形成されたコーティングを有し、前記透明なコーティングがゾルゲルコーティングであることを特徴とするラミネート構造。
【誤訳訂正２】
【訂正対象書類名】明細書
【訂正対象項目名】００１３
【訂正方法】変更
【訂正の内容】
【００１３】
追加的な実施形態は、第１のガラス層と、第２のガラス層と、第１および第２のガラス層の中間に介在する少なくとも１つのポリマー中間層とを有するラミネート構造を提供する。第１のガラス層は、第１および第２の表面を有する強化ガラスから構成され得、第２の表面は中間層に隣接し、かつ化学的に研磨されており、ならびに第２のガラス層は、第３および第４の表面を有する強化ガラスから構成され得、第４の表面は中間層の反対側にあり、かつ化学的に研磨され、および第３の表面は、中間層と隣接し、かつ実質的に透明であり、任意選択的に曇りが低く、かつ任意選択的に複屈折が小さい、その上に形成されたコーティングを有する。ラミネートは、第１のガラス層の第１の表面（最外部のガラス表面）において、第２の実質的に透明なコーティングを任意選択的に含んでもよい。ある実施態様では、ラミネートは、第２の表面の一部のみが化学的に研磨される。また、ある実施態様では、ラミネートは、第４の表面の一部のみが化学的に研磨される。
【手続補正書】
【提出日】平成29年7月3日(2017.7.3)
【手続補正１】
【補正対象書類名】特許請求の範囲
【補正対象項目名】全文
【補正方法】変更
【補正の内容】
【特許請求の範囲】
【請求項１】
式(I)：
【化１】
2016530242.tif 000001
［式中、
R1は、水素、フッ素、臭素、-OCH3およびメチルより選択され；
R2は、水素またはメチルであり；
R3は、水素またはメチルであり；
Xは、NまたはCR4であり；
R4は、水素、フッ素および-OCH3より選択され；
R5は、水素、フッ素、-CF3および-CNより選択され；
Yは、NまたはCR6であり；
R6は、水素またはメチルであり；
Zは、NまたはCR7であり；
R7は、水素、フッ素、-OCH3、-OCHF2、-OCH2CF3、および-N(CH3)2より選択され；
R8は、水素、フッ素、メチルおよび-OCH3より選択され；
nは、1または2であり；
R9は、フッ素、シクロプロピル、-OCH3、-OH、-OCF3、-CHF2、-CH(F)CH3および-CH(OH)CH3より選択される］
で示される化合物、またはその医薬的に許容される塩。
【請求項２】
化合物が：
【化２】
2016530242.tif 000002
【化３】
2016530242.tif 000003
【化４】
2016530242.tif 000004
【化５】
2016530242.tif 000005
【化６】
2016530242.tif 000006
【化７】
2016530242.tif 000007
【化８】
2016530242.tif 000008
【化９】
2016530242.tif 000009
【化１０】
2016530242.tif 000010
【化１１】
2016530242.tif 000011
またはその医薬的に許容される塩より選択される、請求項1に記載の化合物。
【請求項３】
請求項1に記載の化合物またはその医薬的に許容される塩、および医薬的に許容される担体または希釈剤を含む医薬組成物。
【請求項４】
請求項2に記載の化合物またはその医薬的に許容される塩、および医薬的に許容される担体または希釈剤を含む医薬組成物。
【請求項５】
結核またはマイコバクテリウム感染症の処置に用いるための、請求項1に記載の化合物またはその医薬的に許容される塩。
【請求項６】
結核またはマイコバクテリウム感染症の処置に用いるための、請求項2に記載の化合物またはその医薬的に許容される塩。
【請求項７】
結核またはマイコバクテリウム感染症の処置のための薬剤の製造に用いるための、請求項1に記載の化合物。
【請求項８】
結核またはマイコバクテリウム感染症の処置のための薬剤の製造に用いるための、請求項2に記載の化合物。
【請求項９】
結核またはマイコバクテリウム感染症の処置に用いるための、請求項1に記載の化合物またはその医薬的に許容される塩を含む医薬組成物。
【請求項１０】
結核またはマイコバクテリウム感染症の処置に用いるための、請求項2に記載の化合物またはその医薬的に許容される塩を含む医薬組成物。
【請求項１１】
DprE1の阻害に用いるための、請求項1に記載の化合物またはその医薬的に許容される塩。
【請求項１２】
DprE1の阻害に用いるための、請求項2に記載の化合物またはその医薬的に許容される塩。
【請求項１３】
DprE1を阻害するための薬剤の製造に用いるための、請求項1に記載の化合物。
【請求項１４】
DprE1を阻害するための薬剤の製造に用いるための、請求項2に記載の化合物。
【請求項１５】
DprE1を阻害するための、請求項1に記載の化合物またはその医薬的に許容される塩を含む医薬組成物。
【請求項１６】
DprE1を阻害するための、請求項2に記載の化合物またはその医薬的に許容される塩を含む医薬組成物。